(57)【要約】【課題】蓋を開けた状態であっても電池と接点バネとの接触を確実なものとし、かつ、電池を取り出しやすくする。【解決手段】電池３６を着脱可能に収納する電池収納凹部４０が設けられた筐体を備える電子機器３０において、電池収納凹部４０の底部には前記電池３６を外方向へ付勢する付勢部材４１を備え、電池収納凹部４０の開口部に突出し電池３６を係止する係止部６１と、電池収納凹部４０の側壁４０ａから突出し電池３６を電池収納凹部４０の対向する側壁４０ｂに向けて押圧する押圧部６２とを備える電池固定構造である。【選択図】図３
2008153063.tif 000002
【特許請求の範囲】
【請求項１】
電池を着脱可能に収納する電池収納凹部が設けられた筐体を備える電子機器において、
前記電池収納凹部の底部には前記電池を外方向へ付勢する付勢部材を備え、
前記電池収納凹部の開口部に突出し前記電池を係止する係止部と、
前記電池収納凹部の側壁から突出し前記電池を前記電池収納凹部の対向する側壁に向けて押圧する押圧部とを備えることを特徴とする電池固定構造。
【請求項２】
前記押圧部は、前記係止部が前記電池収納凹部の外周部へ退避する動作と連動して前記電池収納凹部の側壁内に退避することを特徴とする請求項１に記載の電池固定構造。
【請求項３】
前記押圧部は前記係止部と一体に形成されていることを特徴とする請求項１または２に記載の電池固定構造。
【請求項４】
前記付勢部材は前記電池の電極と当接する接点バネであることを特徴とする請求項１〜３のいずれか一項に記載の電池固定構造。
【請求項５】
請求項１〜４のいずれか一項に記載の電池固定構造を備えることを特徴とする電子機器。
【発明の詳細な説明】
【技術分野】
【０００１】
本発明は、筐体内部に電池を収納する電子機器の電池固定構造及び電子機器に関する。
【背景技術】
【０００２】
従来、筐体内部に電池を着脱可能に収納する電子機器においては、接点バネ自体を板バネ等の付勢部材で構成したものがある。このような電子機器では、蓋を閉じることで電池を付勢部材の付勢力に抗して収納しておき、蓋を開けた際、この付勢部材の弾性力により電池を筐体外に押し出し、取り出し易くなっている（例えば、特許文献１参照）。
【０００３】
また、電池の付勢部材との当接面と反対側の面を押さえる係止装置を設け、蓋が開かれても、この係止装置の解除操作がない限り、電池が不用意に飛び出さないようにした構造も考えられている（例えば、特許文献１参照）。
【０００４】
このような係止装置を設けた場合、図８に示すように、蓋１３５を閉めた状態では蓋１３５に設けられた板バネ１３７により電池１３６の電極と接点バネ１４１との接続を確実なものとできる。
【特許文献１】特開平９−３０６４５０号公報
【発明の開示】
【発明が解決しようとする課題】
【０００５】
ところで、電子機器の電池収納凹部は、バッテリーサイズの公差だけ大きく形成されており、電池収納凹部に電池を収納すると、電池収納凹部と電池との間に隙間が生じることがある。このため、図９に示すように、蓋１３５による付勢力が無くなると、同時に板バネ１３７による付勢力が無くなることから、電池１３６は係止装置１５０により係止される角部を支点とした、強すぎる接点バネ１４１の付勢力により回転し、電池１３６の電極が接点バネ１４１から離れてしまう問題が生じる。
したがって、このような構造の場合、蓋を開けた途端に、電源供給がカットされ、電子機器における動作不良の原因となっていた。
【０００６】
本発明はこのような問題点に鑑みてなされたものであり、蓋を開けた状態であっても電池と接点バネとの接触を確実なものとし、かつ、電池を取り出しやすくすることを目的とする。
【課題を解決するための手段】
【０００７】
以上の課題を解決するため、請求項１に記載の発明は、電池を着脱可能に収納する電池収納凹部が設けられた筐体を備える電子機器において、前記電池収納凹部の底部には前記電池を外方向へ付勢する付勢部材を備え、前記電池収納凹部の開口部に突出し前記電池を係止する係止部と、前記電池収納凹部の側壁から突出し前記電池を前記電池収納凹部の対向する側壁に向けて押圧する押圧部とを備えることを特徴とする電池固定構造である。
【０００８】
請求項２に記載の発明は、請求項１に記載の電池固定構造であって、前記押圧部は、前記係止部が前記電池収納凹部の外周部へ退避する動作と連動して前記電池収納凹部の側壁内に退避することを特徴とする。
【０００９】
請求項３に記載の発明は、請求項１または２に記載の電池固定構造であって、前記押圧部は前記係止部と一体に形成されていることを特徴とする。
【００１０】
請求項４に記載の発明は、請求項１〜３のいずれか一項に記載の電池固定構造であって、前記付勢部材は前記電池の電極と当接する接点バネであることを特徴とする。
【００１１】
請求項５に記載の発明は、請求項１〜４のいずれか一項に記載の電池固定構造を備えることを特徴とする電子機器である。
【発明の効果】
【００１２】
本発明によれば、蓋を開けた状態であっても電池と接点バネとの接触を確実なものとし、かつ、電池を取り出しやすくすることができる。
【発明を実施するための最良の形態】
【００１３】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１４】
図１は本発明の実施形態に係る電子機器３０を示す正面図であり、図２は背面図である。この電子機器３０は、デジタルカメラであり、前面に撮像装置３１やフラッシュ装置３２、背面に操作部３３や表示部３４が設けられている。
また、電子機器３０の下部には、電池３６を収納する電池収納凹部４０の蓋３５が設けられている。
【００１５】
図３は蓋３５が開いた状態における電子機器３０の電池収納凹部４０内を示す断面図であり、図４は図３のIV部詳細図である。
図３に示すように、電池収納凹部４０の底部には、電池３６の電極と当接する接点バネ４１が設けられている。接点バネ４１は例えば板バネ状であり、電池３６を電池収納凹部４０の外部へ向けて付勢する。
【００１６】
また、電池収納凹部４０の開口の外周部には、係止装置５０が設けられている。
図５は係止装置５０の電子機器３０への取付構造を示す分解斜視図であり、図６は電子機器３０へ取り付けられた係止装置５０を示す斜視図である。係止装置５０は、コイルバネ５１と、回転軸５２と、係止部材６０とを備える。
【００１７】
コイルバネ５１は、係止部材６０の軸受６３，６４の間に配置され、軸受６３，６４とともに回転軸５２が挿入される。回転軸５２はコイルバネ５１及び軸受６３，６４に挿入され、コイルバネ５１及び係止部材６０を電池収納凹部４０の側壁４０ａに固定する。
係止部材６０は、軸受６３，６４により回転軸５２に対して回動自在に設けられ、コイルバネ５１により、押圧部６２が電池３６を押圧する方向に回動するように、付勢される。
【００１８】
図７は係止部材６０を示す斜視図である。図７に示すように、係止部材６０は、係止部６１と、押圧部６２と、軸受６３，６４と、接続部６５と、を備える。
係止部６１は、図４に示すように、電子機器３０の通常使用時において、電池３６の電極が設けられた面と反対側の面（被圧面）に当接し、接点バネ４１の付勢力により電池３６が電池収納凹部４０の外部へ飛び出さないように電池３６を係止する。
【００１９】
押圧部６２は、コイルバネ５１の付勢力により電池収納凹部４０の側壁４０ａより突出し、電池３６の側面を押圧し、電池３６を電池収納凹部４０の対向する側壁４０ｂに当接させる。なお、押圧部６２は突起状であり、弾性変形する。このため、押圧部６２が弾性変形することにより、係止部材６０の回転角度が増大し、係止部６１の電池３６の被圧面と当接する面積を大きくすることができる。
【００２０】
軸受６３，６４には、図５及び図６に示すように、回転軸５２が挿入され、係止部材６０を回転軸５２に対して回転可能とする。
接続部６５は、係止部６１と押圧部６２とを接続するとともに、図６に示すコイルバネ５１により付勢される。
【００２１】
ここで、電池収納凹部４０への電池３６の着脱方法について説明する。まず、電池収納凹部４０へ電池３６を収納するには、係止部６１が電池収納凹部４０の開口よりも外周部に退避するように、ユーザが係止部材６０をコイルバネ５１の付勢力に抗して回動させる。次に、係止部材６０を退避させた状態で、接点バネ４１の付勢力に抗して電池３６を電池収納凹部４０に押し込む。
【００２２】
さらにユーザが接点バネ４１の付勢力に抗して電池３６を電池収納凹部４０に押し込むと、電池３６の被圧面が係止部材６０よりも電池収納凹部４０の奥側に配置される。すると、図３に示すように、係止部材６０がコイルバネ５１の付勢力により回動し、押圧部６２が電池収納凹部４０の側壁４０ａより突出して電池３６の側面を押圧し、電池３６を電池収納凹部４０の対向する側壁４０ｂに当接させる。その状態でユーザが電池３６より手を離すと、電池３６は接点バネ４１の付勢力により、電池収納凹部４０の対向する側壁４０ｂに沿って電池収納凹部４０から押し出される方向に付勢され、係止部６１と当接して係止される。
【００２３】
電池収納凹部４０から電池３６を取り出すには、係止部６１が電池収納凹部４０の開口よりも外周部に退避するように、ユーザが係止部材６０をコイルバネ５１の付勢力に抗して回動させる。このとき、押圧部６２も回動して電池収納凹部４０の側壁４０ａ内に退避される。
【００２４】
すると、係止部材電池３６は接点バネ４１の付勢力により電池収納凹部４０の外方向に押し出される。その後、電池３６の電子機器３０よりも押し出された部分をユーザが持ち、取り出すことができる。
【００２５】
このように、本実施の形態によれば、接点バネ４１により外方向に付勢された電池３６を係止部６１により係止し、押圧部６２により電池３６を電池収納凹部４０の側壁４０ｂに当接させるので、電池３６が係止部６１により係止される角部を支点として、接点バネ４１の付勢力により回転することを防ぐことができる。したがって、蓋３５を開けた状態であっても電池３６の電極が接点バネ４１から離れてしまうことがなく、接点バネ４１との接触を確実なものとすることができる。
【００２６】
また、係止部６１と押圧部６２とが係止部材６０として一体に形成されているので、係止部６１を電池収納凹部４０の開口よりも外周部に退避させるのと連動して、押圧部６２を電池収納凹部４０の側壁４０ａ内に退避させることができ、接点バネ４１の付勢力により電池３６を容易に取り出すことができる。
【００２７】
なお、以上の実施形態においては、デジタルカメラについて説明したが、本発明はこれに限られることはなく、ノート型パーソナルコンピュータ、ＰＤＡ、電子手帳、デジタルカメラ、携帯電話機、腕時計、レジスタ及びプロジェクタ等といった携帯型の電子機器に適用することができる。
【図面の簡単な説明】
【００２８】
【図１】本発明の実施形態に係る電子機器３０を示す正面図である。
【図２】電子機器３０を示す背面図である。
【図３】蓋３５が開いた状態における電子機器３０の電池収納凹部４０内を示す断面図である。
【図４】図３のIV部詳細図である。
【図５】係止装置５０の電子機器３０への取付構造を示す分解斜視図である。
【図６】電子機器３０へ取り付けられた係止装置５０を示す斜視図である。
【図７】係止部材６０を示す斜視図である。
【図８】従来の電子機器１３０の蓋１３５を閉じた状態における電池収納凹部１４０内を示す断面図である。
【図９】従来の電子機器１３０の蓋１３５を開いた状態における電池収納凹部１４０内を示す断面図である。
【符号の説明】
【００２９】
３０  電子機器
３６  電池
４０  電池収納凹部
４０ａ，４０ｂ  側壁
４１  接点バネ（付勢部材）
６１  係止部
６２  押圧部
【図１】
2008153063.tif 000003
【図２】
2008153063.tif 000004
【図３】
2008153063.tif 000005
【図４】
2008153063.tif 000006
【図５】
2008153063.tif 000007
【図６】
2008153063.tif 000008
【図７】
2008153063.tif 000009
【図８】
2008153063.tif 000010
【図９】
2008153063.tif 000011